(57)【要約】【課題】  本発明は、上述した問題点を解決するためのものであって、本発明の目的は、ユーザに対して細部的な映像情報を提供して直観的で細部的に制御することができる環境を提供することのできるディスプレイ装置、ディスプレイ装置を制御するためのユーザ端末及びその制御方法を提供することにある。【解決手段】  上述の目的を達成するための本発明の一実施形態にかかるディスプレイ装置は、少なくとも一つのコンテンツを含む画面をディスプレイするディスプレイ部と、前記ディスプレイ装置の動作を制御するためのユーザ端末と通信を行う通信部と、予め設定されたイベントに従って前記ユーザ端末にディスプレイするための前記画面の少なくとも一部領域に対応する画面データを前記ユーザ端末に伝送し、前記伝送された画面データに対応する領域が残りの領域と識別されるように前記画面を再構成する制御部と、を含む。【選択図】図１
2013254494.tif 000002
【特許請求の範囲】
【請求項１】
ディスプレイ装置において、
少なくとも一つのコンテンツを含む画面をディスプレイするディスプレイ部と、
前記ディスプレイ装置の動作を制御するためのユーザ端末と通信を行う通信部と、
予め設定されたイベントに従って前記ユーザ端末にディスプレイするための前記画面の少なくとも一部領域に対応する画面データを前記ユーザ端末に伝送し、前記伝送された画面データに対応する領域が残りの領域と識別されるように前記画面を再構成する制御部と、
を含むディスプレイ装置。
【請求項２】
前記制御部は、
前記ユーザ端末に伝送された画面データに対応する領域に枠カーソルをディスプレイして前記画面を再構成することを特徴とする請求項１に記載のディスプレイ装置。
【請求項３】
前記制御部は、
前記ユーザ端末から、前記ユーザ端末での画面操作命令に対応する座標情報が受信されると前記受信された座標情報に対応する画面データを前記ユーザ端末に伝送するように制御することを特徴とする請求項２に記載のディスプレイ装置。
【請求項４】
前記制御部は、
前記座標情報に従ってユーザ端末に伝送された画面データに対応する領域に前記枠カーソルを拡大、縮小又は移動させてディスプレイするように制御することを特徴とする請求項３に記載のディスプレイ装置。
【請求項５】
前記制御部は、
予め設定された時間の間に前記ユーザ端末からユーザ命令が受信されない場合、前記画面で前記枠カーソルが消えるように制御することを特徴とする請求項２に記載のディスプレイ装置。
【請求項６】
前記制御部は、
前記ディスプレイ装置が複数のユーザ端末と通信を行う場合、前記複数のユーザ端末のそれぞれに伝送された画面データに対応する領域に相違した形態の枠カーソルをディスプレイするように制御することを特徴とする請求項２に記載のディスプレイ装置。
【請求項７】
前記制御部は、
前記ユーザ端末から前記画面データを要請するユーザ命令が受信されると、前記画面データを前記ユーザ端末に伝送するように制御することを特徴とする請求項１に記載のディスプレイ装置。
【請求項８】
ディスプレイ装置の動作を制御するためのユーザ端末において、
前記ディスプレイ装置と通信を行う通信部と、
前記通信部を通して受信された、前記ディスプレイ装置にディスプレイされた画面の少なくとも一部領域に対応する画面データをディスプレイするディスプレイ部と、
前記画面データがディスプレイされる画面に対する画面操作命令を受信するユーザインターフェース部と、
前記画面操作命令に対応する座標情報を前記ディスプレイ装置に伝送し、前記ディスプレイ装置から前記座標情報に対応する画面データを受信してディスプレイするように制御する制御部と、
を含むユーザ端末。
【請求項９】
ディスプレイ装置及びユーザ端末を含むディスプレイシステムにおいて、
少なくとも一つのコンテンツを含む画面をディスプレイし、予め設定されたイベントに従って前記画面の少なくとも一部領域に対応する画面データを前記ユーザ端末に伝送し、前記伝送された画面データに対応する領域が残りの領域と識別されるように前記画面を再構成してディスプレイするディスプレイ装置と、
前記ディスプレイ装置から受信された前記画面データをディスプレイし、前記ディスプレイされた画面を通して前記ディスプレイ装置の動作を制御するユーザ端末と、
を含むディスプレイシステム。
【請求項１０】
ディスプレイ装置の制御方法において、
少なくとも一つのコンテンツを含む画面をディスプレイするステップと、
予め設定されたイベントに従って前記ユーザ端末にディスプレイするための前記画面の少なくとも一部領域に対応する画面データを前記ユーザ端末に伝送するステップと、
前記伝送された画面データに対応する領域が残りの領域と識別されるように前記画面を再構成するステップと、
を含むディスプレイ装置の制御方法。
【請求項１１】
前記画面を再構成するステップは、
前記ユーザ端末に伝送された画面データに対応する領域に枠カーソルをディスプレイすることを特徴とする請求項１０に記載のディスプレイ装置の制御方法。
【請求項１２】
前記画面データを前記ユーザ端末に伝送するステップは、
前記ユーザ端末から、前記ユーザ端末での画面操作命令に対応する座標情報が受信されると前記受信された座標情報に対応する画面データを前記ユーザ端末に伝送することを特徴とする請求項１１に記載のディスプレイ装置の制御方法。
【請求項１３】
前記画面を再構成するステップは、
前記座標情報に従ってユーザ端末に伝送された画面データに対応する領域に前記枠カーソルを拡大、縮小又は移動させてディスプレイすることを特徴とする請求項１２に記載のディスプレイ装置の制御方法。
【請求項１４】
ディスプレイ装置の動作を制御するためのユーザ端末の制御方法において、
前記ディスプレイ装置にディスプレイされた画面の少なくとも一部領域に対応する画面データを受信するステップと、
前記受信された画面データを含む画面をディスプレイするステップと、
前記画面データがディスプレイされる画面に対する画面操作命令を受信するステップと、
前記画面操作命令に対応する座標情報を前記ディスプレイ装置に伝送するステップと、
前記ディスプレイ装置から前記座標情報に対応する画面データを受信してディスプレイするステップと、
を含むユーザ端末の制御方法。
【請求項１５】
ディスプレイ装置及びユーザ端末を含むディスプレイシステムの制御方法において、
ディスプレイ装置が少なくとも一つのコンテンツを含む画面をディスプレイするステップと、
ディスプレイ装置が予め設定されたイベントに従って前記画面の少なくとも一部領域に対応する画面データを前記ユーザ端末に伝送するステップと、
ディスプレイ装置が前記伝送された画面データに対応する領域が残りの領域と識別されるように前記画面を再構成してディスプレイするステップと、
ユーザ端末から前記ディスプレイ装置から受信された前記画面データをディスプレイするステップと、
ユーザ端末が前記画面データがディスプレイされる画面を通して前記ディスプレイ装置の動作を制御するステップと、
を含むディスプレイシステムの制御方法。
【発明の詳細な説明】
【技術分野】
【０００１】
本発明は、ディスプレイ装置、ディスプレイ装置を制御するためのユーザ端末及びその制御方法に関し、より詳細には、ディスプレイ装置、ディスプレイ装置を遠隔で制御するためのユーザ端末及びその制御方法に関する。
【背景技術】
【０００２】
近年、スマートＴＶの普及が活性化されるにつれ、ユーザのＴＶの活用に対する期待感も共に高まっている。このようなユーザの期待に応えて最近開発されているＴＶは大画面のディスプレイを基盤に、インターネット基盤のウェブブラウジングサービス、ＳＮＳ（Ｓｏｃｉａｌ  Ｎｅｔｗｏｒｋｉｎｇ  Ｓｅｒｖｉｃｅ）、メールなど、ＰＣ又はスマートフォンで提供されていた機能を提供している。
【０００３】
一方、大画面のディスプレイは画面の大きさによる特性によってウェブブラウジングサービス、ＳＮＳなどの複数の機能を一つの画面を通して提供することができ、複数の機能を一つの画面を通して制御するためにはより細部的にディスプレイ画面を制御する必要性がある。
【０００４】
しかし、既存のＴＶで提供されている遠隔制御装置でこのような機能を活用するには困難さがあり、これにより、トラックボール又は光センサ基盤の遠隔制御装置などが開発された。しかし、光センサ基盤の遠隔制御装置は遠距離から制御することによりポインティング地点に誤差が生じて細部的な制御が困難で、適正位置でのみ可能であり、これにより、ユーザに対して激しい疲労感を与える問題点がある。
【先行技術文献】
【特許文献】
【０００５】
大韓民国公開特許公報  第２０１０−０１２６４２９号
【発明の概要】
【発明が解決しようとする課題】
【０００６】
そこで、本発明は、上記問題に鑑みてなされたものであり、本発明の目的とするところは、ユーザに対して細部的な映像情報を提供して直観的かつ細部的に制御できる環境を提供することのできるディスプレイ装置、ディスプレイ装置を制御するためのユーザ端末及びその制御方法を提供することにある。    
【課題を解決するための手段】
【０００７】
上述の目的を達成するための本発明の一実施形態にかかるディスプレイ装置は、少なくとも一つのコンテンツを含む画面をディスプレイするディスプレイ部と、前記ディスプレイ装置の動作を制御するためのユーザ端末と通信を行う通信部と、予め設定されたイベントに従って前記ユーザ端末にディスプレイするための前記画面の少なくとも一部領域に対応する画面データを前記ユーザ端末に伝送し、前記伝送された画面データに対応する領域が残りの領域と識別されるように前記画面を再構成する制御部と、を含む。
【０００８】
ここで、前記制御部は、前記ユーザ端末に伝送された画面データに対応する領域に枠カーソルをディスプレイして前記画面を再構成することができる。
【０００９】
そして、前記制御部は、前記ユーザ端末から、前記ユーザ端末での画面操作命令に対応する座標情報が受信されると前記受信された座標情報に対応する画面データを前記ユーザ端末に伝送するように制御することができる。
【００１０】
なお、前記制御部は、前記座標情報に従ってユーザ端末に伝送された画面データに対応する領域に前記枠カーソルを拡大、縮小又は移動させてディスプレイするように制御することができる。
【００１１】
そして、前記制御部は、予め設定された時間の間に前記ユーザ端末からユーザ命令が受信されない場合、前記画面で前記枠カーソルが消えるように制御することができる。
【００１２】
一方、前記制御部は、前記ディスプレイ装置が複数のユーザ端末と通信を行う場合、前記複数のユーザ端末のそれぞれに伝送された画面データに対応する領域に相違した形態の枠カーソルをディスプレイするように制御することができる。
【００１３】
そして、前記制御部は、前記ユーザ端末から前記画面データを要請するユーザ命令が受信されると、前記画面データを前記ユーザ端末に伝送するように制御することができる。
【００１４】
一方、本発明の一実施形態にかかるディスプレイ装置の動作を制御するためのユーザ端末は、前記ディスプレイ装置と通信を行う通信部と、前記通信部を通して受信された、前記ディスプレイ装置にディスプレイされた画面の少なくとも一部領域に対応する画面データをディスプレイするディスプレイ部と、前記画面データがディスプレイされる画面に対する画面操作命令を受信するユーザインターフェース部と、前記画面操作命令に対応する座標情報を前記ディスプレイ装置に伝送し、前記ディスプレイ装置から前記座標情報に対応する画面データを受信してディスプレイするように制御する制御部と、を含む。
【００１５】
そして、本発明の一実施形態にかかるディスプレイ装置及びユーザ端末を含むディスプレイシステムは、少なくとも一つのコンテンツを含む画面をディスプレイし、予め設定されたイベントに従って前記画面の少なくとも一部領域に対応する画面データを前記ユーザ端末に伝送し、前記伝送された画面データに対応する領域が残りの領域と識別されるように前記画面を再構成してディスプレイするディスプレイ装置と、前記ディスプレイ装置から受信された前記画面データをディスプレイし、前記ディスプレイされた画面を通して前記ディスプレイ装置の動作を制御するユーザ端末と、を含む。
【００１６】
一方、本発明の一実施形態にかかるディスプレイ装置の制御方法は、少なくとも一つのコンテンツを含む画面をディスプレイするステップと、予め設定されたイベントに従って前記ユーザ端末にディスプレイするための前記画面の少なくとも一部領域に対応する画面データを前記ユーザ端末に伝送するステップと、前記伝送された画面データに対応する領域が残りの領域と識別されるように前記画面を再構成するステップと、を含む。
【００１７】
ここで、前記画面を再構成するステップは、前記ユーザ端末に伝送された画面データに対応する領域に枠カーソルをディスプレイすることができる。
【００１８】
そして、前記画面データを前記ユーザ端末に伝送するステップは、前記ユーザ端末から、前記ユーザ端末での画面操作命令に対応する座標情報が受信されると前記受信された座標情報に対応する画面データを前記ユーザ端末に伝送することができる。
【００１９】
なお、前記画面を再構成するステップは、前記座標情報に従ってユーザ端末に伝送された画面データに対応する領域に前記枠カーソルを拡大、縮小又は移動させてディスプレイすることができる。
【００２０】
そして、前記画面を再構成するステップは、予め設定された時間の間に前記ユーザ端末からユーザ命令が受信されない場合、前記画面で前記枠カーソルが消えるようにディスプレイすることができる。
【００２１】
一方、前記画面を再構成するステップは、前記ディスプレイ装置が複数のユーザ端末と通信を行う場合、前記複数のユーザ端末のそれぞれに伝送された画面データに対応する領域に相違した形態の枠カーソルをディスプレイすることができる。
【００２２】
そして、前記画面データを前記ユーザ端末に伝送するステップは、前記ユーザ端末から前記画面データを要請するユーザ命令が受信されると、前記画面データを前記ユーザ端末に伝送することができる。
【００２３】
一方、本発明の一実施形態にかかるディスプレイ装置の動作を制御するためのユーザ端末の制御方法は、前記ディスプレイ装置にディスプレイされた画面の少なくとも一部領域に対応する画面データを受信するステップと、前記受信された画面データを含む画面をディスプレイするステップと、前記画面データがディスプレイされる画面に対する画面操作命令を受信するステップと、前記画面操作命令に対応する座標情報を前記ディスプレイ装置に伝送するステップと、前記ディスプレイ装置から前記座標情報に対応する画面データを受信してディスプレイするステップと、を含む。
【００２４】
そして、本発明の一実施形態にかかるディスプレイ装置及びユーザ端末を含むディスプレイシステムの制御方法は、ディスプレイ装置が少なくとも一つのコンテンツを含む画面をディスプレイするステップと、ディスプレイ装置が予め設定されたイベントに従って前記画面の少なくとも一部領域に対応する画面データを前記ユーザ端末に伝送するステップと、ディスプレイ装置が前記伝送された画面データに対応する領域が残りの領域と識別されるように前記画面を再構成してディスプレイするステップと、ユーザ端末から前記ディスプレイ装置から受信された前記画面データをディスプレイするステップと、ユーザ端末が前記画面データがディスプレイされる画面を通して前記ディスプレイ装置の動作を制御するステップと、を含む。
【発明の効果】
【００２５】
上述のように、本発明の多様な実施形態によると、ユーザはユーザ端末を通して直観的かつ細部的にディスプレイ装置を制御することができ、これにより、ユーザの便宜を増大させることができる。
【図面の簡単な説明】
【００２６】
【図１】本発明の一実施形態にかかるディスプレイシステムを説明するための図である。
【図２】本発明の一実施形態にかかるディスプレイ装置の構成を示すブロック図である。
【図３】本発明の一実施形態にかかるユーザ端末の構成を示すブロック図である。
【図４】本発明の一実施形態にかかるディスプレイシステムの具体的な動作を説明するための図である。
【図５】本発明の一実施形態にかかる枠カーソルが縮小される動作を説明するための図である。
【図６】本発明の一実施形態にかかる枠カーソルが拡大される動作を説明するための図である。
【図７】本発明の一実施形態にかかる枠カーソルが移動する動作を説明するための図である。
【図８】本発明の他の実施形態にかかるディスプレイシステムを説明するための図である。
【図９】本発明の一実施形態にかかるディスプレイ装置の制御方法を説明するための図である。
【図１０】本発明の一実施形態にかかるディスプレイ装置の動作を制御するためのユーザ端末の制御方法を説明するための図である。
【図１１】本発明の一実施形態にかかるディスプレイシステムの制御方法を説明するための図である。
【発明を実施するための形態】
【００２７】
以下に、添付図面を参照して本発明について具体的に説明する。
【００２８】
図１は、本発明の一実施形態にかかるディスプレイシステムを説明するための図である。図１によると、ディスプレイシステム１０００は、ディスプレイ装置１００及びユーザ端末２００を含む。
【００２９】
ディスプレイ装置１００は、少なくとの一つのコンテンツを含む画面をディスプレイし、予め設定されたイベントに従ってディスプレイ画面の少なくとも一部領域に対応する画面データをユーザ端末２００に伝送する。そして、伝送された画面データに対応する領域が画面の残りの領域と識別されるように画面を再構成してディスプレイすることができる。
【００３０】
予め設定されたイベントとは、ディスプレイ装置１００とユーザ端末２００とが互いに通信するために接続されるイベント、ユーザ端末を通してディスプレイ装置を制御するためのアプリケーションがディスプレイ装置１００又はユーザ端末２００で実行されるイベント、ディスプレイ装置１００がユーザ端末１００からユーザ命令を受信するイベントなどである。
【００３１】
一例として、ディスプレイ装置１００は、ユーザ端末２００に伝送された画面データに対応するディスプレイ画面の少なくとも一部領域に枠カーソルをディスプレイするように画面を再構成することができる。
【００３２】
ユーザ端末２００は、ディスプレイ装置１００から受信された画面データをディスプレイし、ディスプレイされた画面を通してディスプレイ装置１００の動作を制御することができる。
【００３３】
一例として、ユーザ端末２００はタッチスクリーンを備え、ユーザはディスプレイ画面をタッチすることでディスプレイ装置１００の動作を制御することができ、ドラック、マルチタッチなどの動作を通してユーザ端末２００にディスプレイされる画面を制御することができる。
【００３４】
ここで、ユーザはユーザ端末２００でなくディスプレイ装置１００に表示された枠カーソルを見ながら直観的にユーザ端末２００にディスプレイされる画面を制御することができる。
【００３５】
一方、このようなユーザ端末２００は、スマートフォン、ＰＤＡ（Ｐｅｒｓｏｎａｌ  Ｄｉｇｉｔａｌ  Ａｓｓｉｓｔａｎｔ）、ＰＭＰ（Ｐｏｔｏｂａｌ  Ｍｕｌｔｉｍｅｍｄｉａ  Ｐｌａｙｅｒ）、ＭＰ３プレーヤー、ノートパソコンなどのディスプレイ画面を備えた多様な移動性端末装置で実現されてもよい。
【００３６】
そして、ディスプレイ装置１００とユーザ端末２００とは、Ｗｉ-Ｆｉ、ブルートゥース（ｂｌｕｅｔｏｏｔｈ）、ジグビー（ＺｉｇＢｅｅ）、ＩＲＤＡ（Ｉｎｆｒａｒｅｄ  Ｄａｔａ  Ａｓｓｏｃｉａｔｉｏｎ）、ＲＦ（Ｒａｄｉｏ  Ｆｒｅｑｕｅｎｃｙ）、ＩＥＥＥ８０２、ＷＬＡＮ、ＨＲ  ＷＰＡＮ、ＵＷＢ、ＬＲ  ＷＰＡＮ、ＩＥＥＥ  １３９４などのような無線通信技術で通信することができる。
【００３７】
図２は、本発明の一実施形態にかかるディスプレイ装置１００の構成を示すブロック図である。
【００３８】
図２によると、ディスプレイ装置１００は、ディスプレイ部１１０、通信部１２０及び制御部１３０を含む。
【００３９】
ディスプレイ部１１０は、少なくとも一つのコンテンツを含む画面をディスプレイすることができる。具体的に、受信部（不図示）を通してコンテンツを受信し、信号処理部（不図示）で信号処理された少なくとも一つのコンテンツを含む画面をディスプレイすることができる。
【００４０】
一方、ディスプレイ部１１０は、ＣＲＴ（Ｃａｔｈｏｄ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｐｌａｙ  Ｐａｎｅｌ）、ＯＬＥＤ（Ｏｒｇａｎｉｃ  Ｌｉｇｈｔ  Ｅｍｉｔｔｉｎｇ  Ｄｉｏｄｅｓ）などのような多様なディスプレイパネルで実現されてもよい。
【００４１】
通信部１２０は、ユーザ端末２００と通信を行う。具体的に、通信部１２０は、ディスプレイ部１１０によってディスプレイされる画面の少なくとも一部領域に対応する画面データをユーザ端末に伝送することができる。
【００４２】
また、通信部１２０はユーザ端末２００から、ユーザ端末２００を通して入力されたユーザ命令を受信することができる。一例として、通信部１２０はユーザ端末２００における画面操作命令に対応する座標情報を受信することができる。
【００４３】
制御部１３０は、ディスプレイ装置１００の全般的な動作を制御することができる。具体的に、制御部１３０は、ディスプレイ装置１００の各構成を制御して対応する動作を行うことができるようにすることができる。
【００４４】
特に、制御部１３０は通信部１２０がディスプレイされる画面の少なくとも一部領域に対応する画面データを伝送するように制御し、伝送された画面データに対応する領域が残り領域と識別されるようにディスプレイ画面を再構成することができる。
【００４５】
具体的に、制御部１３０はユーザ端末２００に伝送された画面データに対応する領域に枠カーソルをディスプレイして残り領域と識別されるようにディスプレイ画面を再構成することができる。
【００４６】
なお、制御部１３０はユーザ端末２００から、ユーザ端末における画面操作命令に対応する座標情報が受信されると、受信された座標情報に対応する画面データをユーザ端末２００に伝送するように制御することができる。
【００４７】
そして、予め設定された時間の間にユーザ端末２００からユーザ命令が受信されない場合、ディスプレイ画面で枠カーソルが消えるように制御することができる。これにより、枠カーソルによってユーザがコンテンツの視聴を妨害する時間を最小化することができる。
【００４８】
図３は、本発明の一実施形態にかかるユーザ端末の構成を示すブロック図である。
【００４９】
図３によると、ユーザ端末２００は、通信部２１０、ディスプレイ部２２０、ユーザインターフェース部２３０、及び制御部２４０を含む。
【００５０】
通信部２１０は、ディスプレイ装置１００と通信を行う。具体的に、通信部２１０は、ディスプレイ装置１００からディスプレイ装置にディスプレイされた画面の少なくとも一部領域に対応する画面データを受信することができる。なお、ユーザインターフェース部２３０を通して受信されたユーザ命令をディスプレイ装置１００に伝送することができる。
【００５１】
ここで、ディスプレイ装置１００に伝送されるユーザ命令はディスプレイ装置１００のディスプレイ画面に対する座標情報形態に伝送されてもよい。
【００５２】
ディスプレイ部２２０は、通信部２１０を通して受信されたディスプレイ装置にディスプレイされた画面の少なくとも一部領域に対応する画面データをディスプレイする。ディスプレイ部２２０は、ＣＲＴ（Ｃａｔｈｏｄ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、ＯＬＥＤ（Ｏｒｇａｎｉｃ  Ｌｉｇｈｔ  Ｅｍｉｔｔｉｎｇ  Ｄｉｏｄｅｓ）などのような多様なディスプレイパネルで実現されてもよい。
【００５３】
ユーザインターフェース部２３０はユーザ命令を受信する。具体的に、ユーザインターフェース部２３０はユーザからディスプレイ装置１００を制御するためのユーザ命令を受信することができる。特に、ユーザインターフェース部２３０はディスプレイ部２２０にディスプレイされる画面に対する画面操作命令を受信することができる。
【００５４】
ここで、ユーザインターフェース部２３０はタッチパネル又はタッチスクリーンのような装置で実現されてもよく、この場合、ディスプレイ部２２０及びユーザインターフェース部２３０は一つの構成で実現されてもよい。
【００５５】
制御部２４０は、ユーザ端末２００の全般的な動作を制御することができる。具体的に、制御部２４０は通信部２１０、ディスプレイ部２２０、及びユーザインターフェース部２３０の各々を制御して対応する動作を行うようにすることができる。
【００５６】
特に、制御部２４０は、ユーザインターフェース部２３０を通して受信された画面操作命令に対応する座標情報をディスプレイ装置１００に伝送し、ディスプレイ装置１００から座標情報に対応する画面データを受信してディスプレイするように制御することができる。
【００５７】
以下では、上述した内容に基づいて本発明の一実施形態にかかるディスプレイ装置１００及びユーザ端末２００の具体的な動作を説明することにする。
【００５８】
図４は、本発明の一実施形態にかかるディスプレイシステムの具体的な動作を説明するための図である。
【００５９】
ディスプレイ装置１００のディスプレイ部１１０がコンテンツをディスプレイする間にユーザ端末２００と連結される。例えば、ディスプレイ装置１００とユーザ端末２００とは互いに連動する特定のアプリケーションを実行させるか、ディスプレイ装置１００の通信部１２０及びユーザ端末２００の通信部２１０を活性化させることで互いに連結される。そして、ユーザがディスプレイ装置１００のディスプレイ画面のうち少なくとも一部領域をユーザ端末２００にディスプレイするために画面データを要請するユーザ命令を入力すると、ユーザ端末２００は通信部２１０を通してディスプレイ装置１００にユーザ命令を伝送することができる。
【００６０】
ここで、予め設定されたユーザ命令とは、例えば、ユーザ端末２００に予め設置されたディスプレイ装置を制御するためのアプリケーションを実行する命令、ユーザ端末２００のユーザインターフェース部２３０に入力される予め設定されたパターン又は回数のタッチ入力などであってもよい。
【００６１】
ディスプレイ装置１００はユーザ端末２００から画面データを要請するユーザ命令が受信されると、コンテンツがディスプレイされる画面の少なくとも一部領域に対応する画面データを通信部２２０を通してユーザ端末２００に伝送することができる。
【００６２】
ここで、ユーザ端末２００に伝送される最初の画面データは予め設定された座標範囲内の画面データになってもよい。即ち、ディスプレイ装置１００からユーザ端末２００に伝送される最初の画面データは、ディスプレイ装置１００のディスプレイ画面上の予め設定された領域の座標になることができ、予め設定された領域はユーザにより変更されてもよい。
【００６３】
ユーザ端末２００はディスプレイ装置１００から画面データを受信してディスプレイ部２２０を通してディスプレイすることができる。そして、ディスプレイ装置１００はユーザ端末２００に伝送された画面データに対応する領域（識別領域）がディスプレイ画面の残りの領域と識別できるようにディスプレイ画面を再構成することができる。
【００６４】
例えば、図４に示されるように、ディスプレイ装置１００はユーザ端末２００に伝送された画面データに対応する画面領域の境界に枠カーソルをディスプレイすることができ、対応する領域をハイライトで表示するか、対応する画面領域を残りの領域とは異なるテクスチャ（ｔｅｘｔｕｒｅ）で表示るされるようにすることもできる。
【００６５】
なお、枠カーソルをディスプレイする場合には、枠カーソルを直線、破線、一点鎖線、二点鎖線など、多様な模様及び色彩で表示することができ、枠カーソルをハイライトで表示するか、表示されるカーソルが一定周期で徐々についたり消えたりする形式で表示することもできる。
【００６６】
一方、上述したディスプレイ画面の領域を識別するための方法は一実施例に過ぎず、ユーザ端末に伝送された領域と残りの領域を識別することができればどのような方法でも使用することができる。なお、上述した方法はユーザによって変更されてもよい。
【００６７】
ここで、ユーザがユーザ端末２００にディスプレイされる画面を変更するために画面操作命令を入力した場合、ディスプレイ装置１００のディスプレイ画面に表示される識別領域が変更される。これについては図５乃至図７を参照して具体的に説明することにする。
【００６８】
図５は、本発明の一実施形態にかかる枠カーソルが縮小される動作を説明するための図である。
【００６９】
図５を参照すると、ユーザ端末２００にはディスプレイ装置１００にディスプレイされる画面の一部領域がディスプレイされており、ディスプレイ装置１００にはユーザ端末２００にディスプレイされる一部領域に枠カーソルが表示されている。
【００７０】
ここで、ユーザがユーザ端末２００に表示される画面をより細部的に見るために画面を拡大する画面操作命令を入力すると、ディスプレイ装置１００は画面操作命令に従ってより狭い領域の画面データをユーザ端末２００に伝送し、伝送された領域に対応する領域に枠カーソルを縮小することができる。ユーザ端末２００はより狭い領域の画面を受信してディスプレイすることでユーザに拡大された画面を提供することができる。
【００７１】
より具体的に、ユーザはユーザ端末２００のユーザインターフェース部２３０に画面を拡大するために予め設定された画面操作命令を入力することができる。ユーザ端末２００のインターフェース部２３０が画面操作命令を受信すると、制御部２４０は画面操作命令に従う座標情報を算出することができる。
【００７２】
例えば、ユーザインターフェース部２３０がタッチパネルで構成された場合、ユーザは２本指でタッチパネルにマルチタッチをした後、２本指の間の間隔を広げるユーザ操作命令を入力することができる。
【００７３】
制御部２４０はマルチタッチされた２ポイントの間の間隔が広がることにより、ディスプレイ装置１００から受信する映像データの座標を算出することができる。算出される座標は２ポイントの間の間隔に比例して算出することができる。このような座標はディスプレイ装置１００のディスプレイ部１１０のピクセル座標を意味し、（（ｘ１、ｙ１）、（ｘ２、ｙ２））のような形態で表現することができる。（ｘ１、ｙ１）は枠カーソルのある一つの頂点、即ち、ユーザ端末２００に伝送される画面データのある一つの頂点の座標を意味し、（ｘ２、ｙ２）はある一つの頂点の対角線に位置する頂点の座標を意味する。
【００７４】
例えば、最初に受信した映像データの座標が（（５０、５０）、（２５０、２００））である場合、制御部２４０はユーザ操作命令に従って（（９０、８０）、（２１０、１７０））の座標を算出することができる。算出された座標情報は通信部２１０を通してディスプレイ装置１００に伝送される。
【００７５】
ディスプレイ装置１００はユーザ端末２００から座標情報が受信されると座標情報に対応する画面データをユーザ端末１００に伝送する。そして、伝送された画面データに対応する画面領域に枠カーソルを縮小して表示することができる。そして、ユーザ端末２００は新たに受信された画面データをディスプレイしてユーザに対して拡大された画面を提供することができる。
【００７６】
図６は、本発明の一実施形態にかかる枠カーソルが拡大される動作を説明するための図である。
【００７７】
図６を参照すると、ユーザ端末２００にはディスプレイ装置１００にディスプレイされる画面の一部領域がディスプレイされており、ディスプレイ装置１００にはユーザ端末２００にディスプレイされる一部領域に枠カーソルが表示されている。
【００７８】
ここで、ユーザがユーザ端末２００に表示される画面をより広く包括的に見るために画面を縮小する画面操作命令を入力すると、ディスプレイ装置１００は画面操作命令に従ってより広い領域の画面データをユーザ端末２００に伝送し、伝送された領域に対応する領域に枠カーソルを拡大することができる。ユーザ端末２００はより広い領域の画面を受信してディスプレイすることでユーザに広い領域の包括的な画面を提供することができる。
【００７９】
ここで、ユーザは包括的な領域の画面を提供してもらうために、２本指でタッチパネルにマルチタッチをした後、２本指の間の間隔を縮めるユーザ操作命令を入力することができ、これにより、ユーザはユーザ端末２００を通してより包括的な画面を提供してもらうことができる。一方、枠カーソルが拡大される具体的な動作は図５を参照して説明した枠カーソルが縮小される動作と類似しているため、具体的な説明は省略することにする。
【００８０】
図７は、本発明の一実施形態にかかる枠カーソルが移動する動作を説明するための図である。
【００８１】
図７を参照すると、ユーザ端末２００にはディスプレイ装置１００にディスプレイされる画面の一部領域がディスプレイされており、ディスプレイ装置１００にはユーザ端末２００にディスプレイされる一部領域に枠カーソルが表示されている。
【００８２】
ここで、ユーザがユーザ端末２００に表示される画面を移動させるための画面操作命令を入力すると、ディスプレイ装置１００は画面操作命令に従って移動された領域の画面データをユーザ端末２００に伝送し、伝送された領域に対応する領域に枠カーソルを移動することができる。ユーザ端末２００は移動された領域の画面を受信してディスプレイすることでユーザに対して移動された領域の画面を提供することができる。この場合、ディスプレイ装置１００からユーザ端末２００に伝送されるデータ領域の大きさは変わらず単に伝送されるデータ領域の位置のみ変更される。
【００８３】
例えば、ユーザインターフェース部２３０がタッチパネルで構成された場合、移動された領域の画面を提供してもらうために１本指でタッチパネルにタッチをした後、特定方向にタッチした指を移動させるユーザ操作命令を入力することができる。
【００８４】
制御部２４０はタッチされたポイントが移動されることによるディスプレイ装置１００から受信する映像データの座標を算出することができる。例えば、最初に受信した映像データの座標が（（５０、５０）、（２５０、２００））であり、ユーザが右上方向にタッチした指を移動した場合、制御部２４０はユーザ操作命令に従って（（１５０、１５０）、（３５０、３００））の座標を算出することができる。算出された座標情報は通信部２１０を通してディスプレイ装置１００に伝送される。
【００８５】
ディスプレイ装置１００はユーザ端末２００から座標情報が受信されると座標情報に対応する画面データをユーザ端末１００に伝送する。そして、伝送された画面データに対応する画面領域に枠カーソルを移動して表示することができる。そして、ユーザ端末２００は新たに受信された画面データをディスプレイしてユーザに対して移動された画面を提供することができる。
【００８６】
一方、図５乃至図７を参照して説明した一連の動作はユーザの画面操作命令に即刻的に反応して連続的に動作することができる。例えば、図７のように、ユーザがユーザ端末２００にディスプレイされる画面を移動するための画面操作命令を入力した場合、ユーザの画面操作命令に従って（（６０、６０）、（２６０、２１０））、（（７０、７０）、（２７０、２２０））、．．．（（１５０、１５０）、（３５０、３００））の座標が連続的にディスプレイ装置に伝送され、ディスプレイ装置１００は受信された座標に対応する画面データを連続的にユーザ端末２００に伝送し、枠カーソルを移動させてディスプレイすることができる。
【００８７】
これにより、ユーザ端末２００は切れることなく自然に変更されるディスプレイ画面をユーザに提供することができ、ディスプレイ装置１００のディスプレイ画面に表示される枠カーソルも自然に変更されるようにすることができる。
【００８８】
一方、ディスプレイ装置１００は予め設定された時間の間にユーザ端末２００から画面操作命令が受信されない場合、ディスプレイ画面で枠カーソルが消えるように制御することができる。
【００８９】
例えば、ユーザ端末２００のユーザインターフェース部２３０がタッチパッドで構成された場合、ユーザがタッチ入力を中止するとすぐにディスプレイ装置１００のディスプレイ画面で枠カーソルが消えるようにすることができる。又は、ユーザがタッチ入力を中止して２秒後にディスプレイ画面で枠カーソルが消えるようにすることができる。
【００９０】
ここで、ユーザ端末２００から予め設定された時間の間に画面操作命令が受信されなくて枠カーソルが消えた場合にもディスプレイ装置１００は最後に受信された座標情報に対応する画面データを継続してユーザ端末２００に伝送することができる。これにより、ユーザが画面操作命令を入力しない間にもユーザ端末２００に画面データがディスプレイされるようにすることができる。
【００９１】
そして、ディスプレイ装置１００のディスプレイ画面で枠カーソルが消えた後、ユーザがまた画面操作命令を入力した場合、ディスプレイ装置は最後に表示された枠カーソルと同一な枠カーソルをディスプレイすることができる。
【００９２】
図８は、本発明の他の実施形態にかかるディスプレイシステムを説明するための図である。
【００９３】
図８によると、ディスプレイシステムはディスプレイ装置１００及び複数のユーザ端末２００−１、２００−２を含む。複数のユーザ端末２００−１、２００−２はそれぞれディスプレイ装置１００と連結されている。ディスプレイ装置１００は複数のユーザ端末２００−１、２００−２からそれぞれユーザ命令を受信することができ、ディスプレイ装置１００と複数のユーザ端末２００−１、２００−２のそれぞれは図１及び図４を参照して説明したディスプレイ装置１００及びユーザ端末２００と類似に動作することができる。従て、具体的に説目は省略することにする。
【００９４】
ただ、ディスプレイ装置１００は複数のユーザ端末２００−１、２００−２のそれぞれに伝送されたデータに対応する領域を相違する形態でディスプレイすることができる。例えば、複数のユーザ端末２００−１、２００−２のそれぞれに伝送された画面データに対応する領域をそれぞれ相違する色彩の枠カーソルで表示するか、図８のように、それぞれ相違する模様の枠カーソルで表示することもできる。又は、複数のユーザ端末のうちある一つ２００−１に伝送された画面データに対応する領域は枠カーソルで、残りのユーザ端末２００−２に伝送された画面データに対応する領域はハイライトで表示することもでき、複数のユーザ端末２００−１、２００−２のそれぞれに伝送された画面データに対応する領域を識別するためのディスプレイ方法はユーザによって変更されてもよい。
【００９５】
一方、図８においては、複数のユーザ端末が２つであるものとして説明したが、３つ以上のユーザ端末がディスプレイ装置と連結されて動作できることは言うまでもない。
【００９６】
なお、上述した実施形態ではディスプレイ装置１００がユーザ端末２００から座標情報を受信して対応する領域の画面データのみをユーザ端末２００に伝送し、ユーザ端末は受信した画面データをディスプレイするものと説明したが、ディスプレイ装置１００はディスプレイ画面の全体領域、即ち、全体画面データをユーザ端末に伝送し、ユーザ端末２００はユーザの画面操作命令に従って受信された全体画面データのうち一部領域のみをディスプレイする方式に実現されてもよい。
【００９７】
図９は、本発明の一実施形態にかかるディスプレイ装置の制御方法を説明するための図である。ディスプレイ装置１００の具体的な構成及び動作については上述したため簡略に説明することにする。
【００９８】
図９によると、少なくとも一つのコンテンツを含む画面をディスプレイするＳ９１０。そして、予め設定されたイベントに従ってユーザ端末にディスプレイするための画面の少なくとも一部領域に対応する画面データをユーザ端末に伝送するＳ９２０。
【００９９】
ここで、画面データをユーザ端末に伝送するステップＳ９２０は、ユーザ端末から画面データを要請するユーザ命令が受信されると画面データをユーザ端末に伝送することができる。
【０１００】
なお、画面データをユーザ端末に伝送するステップＳ９２０は、ユーザ端末から、ユーザ端末での画面操作命令に対応する座標情報が受信されると受信された座標情報に対応する画面データをユーザ端末に伝送することができる。
【０１０１】
そして、伝送された画面データに対応する領域が残りの領域と識別されるように画面を再構成するＳ９３０。ここで、画面を再構成するステップＳ９３０は、ユーザ端末に伝送された画面データに対応する領域に枠カーソルをディスプレイして画面を再構成することができる。そして、ユーザ端末からユーザ命令が受信されない場合、画面で枠カーソルが消えるようにディスプレイすることができる。
【０１０２】
なお、画面を再構成するステップＳ９３０は、ユーザ端末から座標情報が受信され、座標情報に対応する画面データをユーザ端末に伝送した後Ｓ９２０、伝送された画面データに対応する画面の即なくとも一部領域に枠カーソルを拡大、縮小又は移動させてディスプレイすることができる。
【０１０３】
一方、ディスプレイ装置が複数のユーザ端末と通信を行う場合、画面を再構成するステップＳ９３０は、複数のユーザ端末のそれぞれに伝送された画面データに対応する領域に相違した形態の枠カーソルをディスプレイすることができる。
【０１０４】
図１０は、本発明の一実施形態にかかるディスプレイ装置の動作を制御するためのユーザ端末の制御方法を説明するための図である。
【０１０５】
図１０によると、ユーザ端末２００はディスプレイ装置から画面データを受信するＳ１０１０。具体的に、ディスプレイ装置にディスプレイされた画面の少なくとも一部領域に対応する画面データを受信することができる。そして、受信された画面データをディスプレイするＳ１０２０。その後、画面データがディスプレイされる画面に対する画面操作命令を受信するＳ１０３０。そして、画面操作命令に対応する座標情報をディスプレイ装置に伝送するＳ１０４０。具体的に、ユーザ端末２００はステップ１０３０において受信された画面操作命令を分析して対応する座標情報を算出してディスプレイ装置に伝送することができる。そして、ディスプレイ装置から座標情報に対応する画面データを受信してディスプレイするＳ１０５０。
【０１０６】
図１１は、本発明の一実施形態にかかるディスプレイシステムの制御方法を説明するための図である。
【０１０７】
図１１によると、ディスプレイ装置が少なくとも一つのコンテンツを含む画面をディスプレイするＳ１１１０。そして、ディスプレイ装置が予め設定されたイベントに従って画面の少なくとも一部領域に対応する画面データをユーザ端末に伝送するＳ１１２０。その後、ディスプレイ装置はユーザ端末に伝送された画面データに対応する領域が残りの領域と識別されるように画面を再構成してディスプレイするＳ１１３０。そして、ユーザ端末がディスプレイ装置から受信された画面データをディスプレイしＳ１０４０、画面データがディスプレイされる画面を通してディスプレイ装置の動作を制御することができるＳ１０５０。ここで、ユーザ端末はディスプレイ装置の動作を制御するためにユーザ命令を受信し、このようなユーザ命令はディスプレイ装置を直接的に制御するためのユーザ命令（例えば、ディスプレイ装置のアプリケーションを実行するためのユーザ命令）だけでなく、ユーザ端末にディスプレイされる画面を制御するための画面操作命令も含む。
【０１０８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０９】
１００  ディスプレイ装置
１１０、２２０  ディスプレイ部
１２０、２１０  通信部
１３０  制御部
２００、２００−１、２００−２  ユーザ端末
２３０  ユーザインターフェース部
２４０  制御部
【図１】
2013254494.tif 000003
【図２】
2013254494.tif 000004
【図３】
2013254494.tif 000005
【図４】
2013254494.tif 000006
【図５】
2013254494.tif 000007
【図６】
2013254494.tif 000008
【図７】
2013254494.tif 000009
【図８】
2013254494.tif 000010
【図９】
2013254494.tif 000011
【図１０】
2013254494.tif 000012
【図１１】
2013254494.tif 000013